(57)【要約】【課題】敷設する際のコネクタの接続作業性に優れた床暖房パネルを提供する。【解決手段】雁行形状のパネル本体１０と、このパネル本体１０の裏面側に収容される線ヒータ２０と、この線ヒータ２０に結線された状態でパネル本体１０をその短手方向に横断する２本の電源線３１、３１と、この電源線３１、３１の両端にそれぞれ接続された固定側コネクタ３２ａ、可動側コネクタ３２ｂと、線ヒータ２０及び電源線３１、３１をパネル本体１０との間に挟み込むように、パネル本体１０の裏面側に貼着される伸縮性を備えた緩衝材４０とから構成されている。緩衝材４０には、電源線３１、３１が接続されている固定側コネクタ３２ａの基端部側に操作用切欠部４２が形成されており、この操作用切欠部４２に指を挿入することによって、固定側コネクタ３２ａを、その基端部側で支持することができるようになっている。【選択図】        図２
2005315502.tif 000002
【特許請求の範囲】
【請求項１】
木質板によって形成されたパネル基材と、
前記パネル基材の裏面側に配設される電気ヒータと、
前記電気ヒータに結線された状態で前記パネル基材を横断する電源線と、
前記電源線の一端側に接続され、前記パネル基材に形成された固定側コネクタ収容凹部に収容保持される固定側コネクタと、
前記電源線の他端側に接続され、前記パネル基材に形成された可動側コネクタ収容凹部に引き出し可能に収容される可動側コネクタと、
前記電気ヒータ及び前記電源線を前記パネル基材との間に挟み込むように、前記パネル基材の裏面に貼着される、前記固定側コネクタが入り込むコネクタ用切欠部を有する緩衝材と
を備えた床暖房パネルにおいて、
前記緩衝材には、前記電源線が接続されている前記固定側コネクタの基端部側に、前記固定側コネクタとの間に指を挿入可能な操作用切欠部が形成されていることを特徴とする床暖房パネル。
【発明の詳細な説明】
【技術分野】
【０００１】
この発明は、発熱体として電気ヒータを使用した電気式の床暖房パネル、特に、コンクリートスラブ等の上に直接敷設する直貼りタイプの床暖房パネルに関する。
【背景技術】
【０００２】
コンクリートスラブの上に直接敷設する直貼りタイプの床暖房パネルとしては、例えば、図６（ａ）〜（ｃ）に示すように、上面に突板等の表面化粧材が貼着されたパーティクルボードや合板等の木質板によって形成されたパネル基材５１の裏面側に、自己温度制御特性を有する面状発熱体や所定のヒータパターンで布線された線ヒータ等の電気ヒータ（図示せず）を収容し、こういった電気ヒータを下方側から覆うように、パネル基材５１の裏面側に合成繊維等を交絡させた繊維集合体からなる緩衝材５２を貼着したものがある。
【０００３】
こういった電気式の床暖房パネル５０では、敷設する際、隣接する床暖房パネル５０の電気ヒータ同士を簡単に接続することができるように、電気ヒータに結線された状態で、パネル基材５１をその短手方向に横断する電源線５３が設けられており、この電源線５３の両端部には、相互に接合可能な一対のコネクタが接続されている。
【０００４】
前記コネクタは、電源線５３の一端側に接続される固定側コネクタ５４と、電源線５３の他端側に接続される可動側コネクタ５５とから構成されており、固定側コネクタ５４は、パネル基材５１に形成された固定側コネクタ収容凹部５１ａに収納保持されていると共に、可動側コネクタ５５は、パネル基材５１に形成された可動側コネクタ収容凹部５１ｂに引き出し可能に収容されている。
【０００５】
また、固定側コネクタ５４や可動側コネクタ５５は、固定側コネクタ収容凹部５１ａや可動側コネクタ収容凹部５１ｂに収容された状態で、パネル基材５１の裏面から突出するようになっているので、パネル基材５１の裏面に貼着される緩衝材５２には、固定側コネクタ収容凹部５１ａや可動側コネクタ収容凹部５１ｂに対応するように、固定側コネクタ５４や可動側コネクタ５５が入り込むコネクタ用切欠部５２ａ、５２ｂがそれぞれ形成されている。
【０００６】
こういった電気式の床暖房パネル５０を敷設する際は、まず、既に敷設されている床暖房パネル５０の可動側コネクタ５５と、これから敷設しようとする床暖房パネル５０の固定側コネクタ５４とを相互に接続することになるが、その際は、図７（ａ）、（ｂ）に示すように、既に敷設されている床暖房パネル５０の可動側コネクタ５５を可動側コネクタ収容凹部５１ｂから引き出して、その先端側を上に向けると共に、これから敷設しようとする床暖房パネル５０を、その固定側コネクタ５４の先端側を下にして立てた状態で、可動側コネクタ５５と固定側コネクタ５４とを相互に接続するといった方法が採用される。
【０００７】
【特許文献１】特開平１０−３１１５４８号公報
【発明の開示】
【発明が解決しようとする課題】
【０００８】
ところで、上述したような床暖房パネル５０の場合、パネル基材５１に形成された可動側コネクタ収容凹部５１ｂから引き出した可動側コネクタ５５については、その基端部側を手で直接支持することができるが、固定側コネクタ５４は、その基端部側が緩衝材５２によって囲われているので、既に敷設されている床暖房パネル５０の可動側コネクタ５５と、これから敷設しようとする床暖房パネル５０の固定側コネクタ５４とを接合する際は、可動側コネクタ５５の基端部と固定側コネクタ５４の基端部との双方を片手で押さえつけるようにして、両者を接合することはできない。
【０００９】
従って、既に敷設されている床暖房パネル５０の可動側コネクタ５５と、これから敷設しようとする床暖房パネル５０の固定側コネクタ５４とを接合する際は、図８に示すように、既に敷設されている床暖房パネル５０の可動側コネクタ５５を手で掴んで動かないように固定した状態で、これから敷設しようとする床暖房パネル５０全体を手で掴んで、その固定側コネクタ５４の先端部を可動側コネクタ５５の先端部に位置合わせした後、床暖房パネル５０全体を下方側に押し下げることで、可動側コネクタ５５と固定側コネクタ５４とを接合しなければならず、接続作業性が悪いといった問題がある。
【００１０】
そこで、この発明の課題は、敷設する際のコネクタの接続作業性に優れた床暖房パネルを提供することにある。
【課題を解決するための手段】
【００１１】
上記の課題を解決するため、請求項１にかかる発明は、木質板によって形成されたパネル基材と、前記パネル基材の裏面側に配設される電気ヒータと、前記電気ヒータに結線された状態で前記パネル基材を横断する電源線と、前記電源線の一端側に接続され、前記パネル基材に形成された固定側コネクタ収容凹部に収容保持される固定側コネクタと、前記電源線の他端側に接続され、前記パネル基材に形成された可動側コネクタ収容凹部に引き出し可能に収容される可動側コネクタと、前記電気ヒータ及び前記電源線を前記パネル基材との間に挟み込むように、前記パネル基材の裏面に貼着される、前記固定側コネクタが入り込むコネクタ用切欠部を有する緩衝材とを備えた床暖房パネルにおいて、前記緩衝材には、前記電源線が接続されている前記固定側コネクタの基端部側に、前記固定側コネクタとの間に指を挿入可能な操作用切欠部が形成されていることを特徴とする床暖房パネルを提供するものである。
【発明の効果】
【００１２】
以上のように、請求項１にかかる発明の床暖房パネルでは、緩衝材における固定側コネクタの基端部側に、固定側コネクタとの間に指を挿入可能な操作用切欠部が形成されているので、既に敷設されている床暖房パネルの可動側コネクタと、これから敷設しようとする床暖房パネルの固定側コネクタとを接合する際は、緩衝材の操作用切欠部に指を挿入することによって、可動側コネクタの基端部と固定側コネクタの基端部との双方を片手で押さえつけるようにして、両者を接合することができるので、床暖房パネルを敷設する際におけるコネクタの接続作業性が向上する。
【発明を実施するための最良の形態】
【００１３】
以下、実施の形態について図面を参照して説明する。図１〜図３に示すように、この床暖房パネル１は、コンクリートスラブ等の上に直接敷設する直貼りタイプの床暖房パネルであり、雁行形状のパネル本体１０と、このパネル本体１０の裏面側に収容される線ヒータ２０と、この線ヒータ２０に結線された状態でパネル本体１０をその短手方向に横断する２本の電源線３１、３１と、この電源線３１、３１の両端にそれぞれ接続された固定側コネクタ３２ａ、可動側コネクタ３２ｂと、線ヒータ２０及び電源線３１、３１をパネル本体１０との間に挟み込むように、パネル本体１０の裏面側に貼着される伸縮性を備えた緩衝材４０とから構成されている。
【００１４】
前記パネル本体１０は、図１（ａ）及び図３（ａ）に示すように、３プライ合板または５プライ合板等の木質板からなるパネル基材１１と、このパネル基材１１の表面に貼着される突板等の表面化粧材１２とから構成されており、表面化粧材１２がそれぞれ貼着された４枚の基材ピースＰをその長手方向に不規則にずらした状態で短手方向に相互に接合することによって雁行形状に形成されている。
【００１５】
また、パネル本体１０の表面には、図１（ａ）に示すように、４枚の基材ピースＰの接合部分に長手方向に伸びる目地溝１０ａがそれぞれ形成されていると共に、パネル本体１０を形成している各基材ピースＰの表面には、短手方向に伸びる１本または２本の擬似溝１０ｂがランダムな位置に形成されている。
【００１６】
また、パネル基材１１の裏面には、図３（ａ）に示すように、各基材ピースＰ毎にその短手方向に延びる多数の切溝１３が略一定間隔で形成されていると共に、同図（ｂ）に示すように、所定のヒータパターンで布線された線ヒータ２０を収容するヒータ収容溝１４が形成されている。
【００１７】
また、パネル基材１１の裏面には、図３（ａ）に示すように、その長辺側の一方の側縁に、固定側コネクタ３２ａを収容保持する固定側コネクタ収容凹部１５ａが、他方の側縁に、可動側コネクタ３２ｂを引き出し可能に収容する可動側コネクタ収容凹部１５ｂが形成されていると共に、固定側コネクタ収容凹部１５ａと可動側コネクタ収容凹部１５ｂとを接続するように、電源線３１、３１が収容される浅い電源線収容溝１６が形成されており、可動側コネクタ収容凹部１５ｂの上面には、アルミニウム板によって形成された補強板１７が固着されている。
【００１８】
また、可動側コネクタ３２ｂをパネル本体１０から引出可能に収容する可動側コネクタ収容凹部１５ｂには、電源線３１、３１の一部を屈曲させた状態で可動側コネクタ３２ｂと共に収容しなければならないので、可動側コネクタ収容凹部１５ｂは、固定側コネクタ３２ａを収容する固定側コネクタ収容凹部１５ａに比べてその幅及び奥行きが大きくなっている。
【００１９】
前記緩衝材４０は、表面に合成ゴム発泡体がコーティングされると共に裏面にポリエステル系不織布付きシートが貼着された厚さ４ｍｍのポリエステル系樹脂不織布によって形成されており、図１（ｂ）及び図２（ｂ）に示すように、パネル本体１０の長手方向に２分割されている。
【００２０】
固定側コネクタ３２ａや可動側コネクタ３２ｂが固定側コネクタ収容凹部１５ａや可動側コネクタ収容凹部１５ｂに収容された状態では、固定側コネクタ３２ａや可動側コネクタ３２ｂがパネル基材１１の裏面から突出するようになっているので、２分割された緩衝材４０の突き合わせ縁には、固定側コネクタ収容凹部１５ａや可動側コネクタ収容凹部１５ｂに対応するように、固定側コネクタ３２ａや可動側コネクタ３２ｂが入り込むコネクタ用切欠部４１ａ、４１ｂがそれぞれ形成されている。
【００２１】
また、緩衝材４０には、電源線３１、３１が接続されている固定側コネクタ３２ａの基端部側に操作用切欠部４２が形成されており、この操作用切欠部４２に指を挿入することによって、固定側コネクタ３２ａを、その基端部側で支持することができるようになっている。
【００２２】
以上のように構成された床暖房パネル１を敷設する場合も、従来の床暖房パネルと同様に、まず、既に敷設されている床暖房パネル１の可動側コネクタ３２ｂを可動側コネクタ収容凹部１５ｂから引き出して、その先端側を上に向けると共に、これから敷設しようとする床暖房パネル１を、その固定側コネクタ３２ａの先端側を下にして立てた状態で、可動側コネクタ３２ｂと固定側コネクタ３２ａとを相互に接続することになるが、その際は、図４及び図５に示すように、これから敷設しようとする床暖房パネル１の上端側の側縁部分を一方の手で掴んで、その床暖房パネル１を保持した状態で、他方の手の親指を、これから敷設しようとする床暖房パネル１の操作用切欠部４２に挿入して固定側コネクタ３２ａの基端部を支持すると共に、残りの指で、既に敷設されている床暖房パネル１の可動側コネクタ３２ｂの基端部を支持し、双方のコネクタ３２ａ、３２ｂを、それぞれの基端部側から押さえつけるようにして接合すればよい。
【００２３】
以上のように、この床暖房パネル１では、緩衝材４０における固定側コネクタ３２ａの基端部側に、固定側コネクタ３２ａとの間に指を挿入可能な操作用切欠部４２が形成されているので、既に敷設されている床暖房パネル１の可動側コネクタ３２ｂと、これから敷設しようとする床暖房パネル１の固定側コネクタ３２ａとを接合する際は、緩衝材４０の操作用切欠部４２に指を挿入することによって、双方のコネクタを片手で簡単かつ確実に接合することができるので、固定側コネクタの基端部を指で直接支持することができない従来の床暖房パネルに比べて、床暖房パネルを敷設する際のコネクタの接続作業性が向上する。
【００２４】
なお、上述した実施形態では、緩衝材４０に、コネクタ用切欠部４１ａとは別に操作用切欠部４２を形成しているが、これに限定されるものではなく、コネクタ用切欠部の奥行きを大きくすることによって、コネクタ用切欠部と操作用切欠部とを一体化させることも可能である。
【００２５】
また、上述した実施形態では、緩衝材４０がパネル本体１０の長手方向に２分割されているが、これに限定されるものではなく、一体化された緩衝材を使用することも可能である。ただし、この床暖房パネル１のように、パネル本体１０が雁行形状の場合は、緩衝材を２分割しておいたほうが、材料に無駄が発生しないという効果が得られる。
【００２６】
また、上述した実施形態では、電気ヒータとして線ヒータ２０を使用しているが、これに限定されるものではなく、自己温度制御特性を有する面状発熱体を使用することも可能であり、その場合は、固定側コネクタ３２ａと可動側コネクタ３２ｂとをアース線で接続しておくことが望ましい。
【００２７】
また、上述した実施形態では、パネル本体１０が雁行形状に形成されているが、本発明は、こういった雁行形状に限定されるものではなく、パネル本体１０が長方形状に形成された床暖房パネルについても適用することができることは言うまでもない。
【００２８】
また、上述した実施形態では、遮音性能を高めるために、パネル基材１１の裏面に多数の切溝１３が形成されているが、これに限定されるものではなく、本発明は、こういった遮音用の切溝が形成されていない床暖房パネルについても適用することができる。
【図面の簡単な説明】
【００２９】
【図１】（ａ）はこの発明にかかる床暖房パネルの一実施形態を示す平面図、（ｂ）は同上の床暖房パネルを示す裏面図である。
【図２】（ａ）は同上の床暖房パネルにおける緩衝材をはずした状態を示す裏面図、（ｂ）は同上の緩衝材を示す裏面図である。
【図３】（ａ）は同上の床暖房パネルにおけるパネル基材を示す裏面図、（ｂ）は同上の床暖房パネルにおける線ヒータ、電源線、固定側コネクタ及び可動側コネクタを示す図である。
【図４】同上の床暖房パネルを敷設する際のコネクタの接続方法を示す断面図である。
【図５】同上の床暖房パネルを敷設する際のコネクタの接続方法を示す斜視図である。
【図６】（ａ）は従来の床暖房パネルの一実施形態を示す平面図、（ｂ）は同上の床暖房パネルを示す裏面図、（ｃ）は同上の床暖房パネルを示す断面図である。
【図７】（ａ）、（ｂ）は同上の床暖房パネルの敷設方法を説明するための説明図である。
【図８】同上の床暖房パネルを敷設する際のコネクタの接続方法を説明するための斜視図である。
【符号の説明】
【００３０】
１  床暖房パネル
１０  パネル本体
１０ａ  目地溝
１０ｂ  擬似溝
１１  パネル基材
１２  表面化粧材
１３  切溝
１４  ヒータ収容溝
１５ａ  固定側コネクタ収容凹部
１５ｂ  可動側コネクタ収容凹部
１６  電源線収容溝
１７  補強板
２０  線ヒータ（電気ヒータ）
３１  電源線
３２ａ  固定側コネクタ
３２ｂ  可動側コネクタ
４０  緩衝材
４１ａ、４１ｂ  コネクタ用切欠部
４２  操作用切欠部
【図１】
2005315502.tif 000003
【図２】
2005315502.tif 000004
【図３】
2005315502.tif 000005
【図４】
2005315502.tif 000006
【図５】
2005315502.tif 000007
【図６】
2005315502.tif 000008
【図７】
2005315502.tif 000009
【図８】
2005315502.tif 000010